(57)【要約】【課題】  本考案は、アイソレーションを確保しながら、複数の周波数帯を使用することができるアンテナ装置を提供することを目的とする。【解決手段】  アンテナ素子２０と、アンテナ収納部３０と、内部アンテナ用給電線４０Ａと、内部アンテナ給電用コネクタ５０Ａと、外部アンテナ用給電線４０Ｂと、外部アンテナ給電用コネクタ５０Ｂと、絶縁体と、コネクタ頭部６０Ｂと、コネクタ軸部６０Ａとからなる外部アンテナ取付用コネクタ６０と、キャップ７０と、複数のラジアル取付孔８０とを備える。【選択図】  図１
0003216999.tif 000002
【実用新案登録請求の範囲】
【請求項１】
円筒状のアンテナ素子と、
前記アンテナ素子の外径より長い内径を有し、かつ長手方向における長さが前記アンテナ素子より長くなるように円筒状に形成され、前記アンテナ素子を収納し支持するアンテナ収納部と、
前記アンテナ素子に上端が接続されると共に、下端が前記アンテナ収納部の下方から外部に引き出された内部アンテナ用給電線と、
前記内部アンテナ用給電線の下端に接続された内部アンテナ給電用コネクタと、
前記アンテナ素子の内径より短い外径を有し、かつ長手方向の長さが前記アンテナ収納部より長くなるように形成され、前記アンテナ素子の内部を貫通するようにして設けられると共に、下端が前記アンテナ収納部の下方から外部に引き出された外部アンテナ用給電線と、
前記外部アンテナ用給電線の下端に接続された外部アンテナ給電用コネクタと、
前記アンテナ素子と前記外部アンテナ用給電線の間に設けられた円筒状の絶縁体と、
前記外部アンテナ用給電線の上端に接続するようにして、前記アンテナ収納部上に設けられ、前記アンテナ収納部の外径より短い外径を有するコネクタ頭部と、前記コネクタ頭部上に一体成形され、前記コネクタ頭部の外径より短い外径を有するコネクタ軸部とからなる断面凸型形状の外部アンテナ取付用コネクタと、
前記外部アンテナ取付用コネクタの前記コネクタ頭部と、前記アンテナ収納部の上端部分を覆うようにして設けられると共に、上面中央に穿設された貫通孔を介して前記外部アンテナ取付用コネクタの前記コネクタ軸部が突出するようにして設けられた断面逆凹型形状のキャップと、
前記キャップの側面に、前記キャップの長手方向と直交する方向に貫通するようにして穿設された、棒状のラジアルを挿着するための複数のラジアル取付孔と
を備えることを特徴とするアンテナ装置。
【考案の詳細な説明】
【技術分野】
【０００１】
本考案は、アンテナ装置に関する。
【背景技術】
【０００２】
近年、アンテナ装置として、種々のものが提案及び開発されている。
【考案の概要】
【考案が解決しようとする課題】
【０００３】
本考案は、アイソレーションを確保しながら、複数の周波数帯を使用することができるアンテナ装置を提供することを目的とする。
【課題を解決するための手段】
【０００４】
本考案の一態様によるアンテナ装置は、
円筒状のアンテナ素子と、
前記アンテナ素子の外径より長い内径を有し、かつ長手方向における長さが前記アンテナ素子より長くなるように円筒状に形成され、前記アンテナ素子を収納し支持するアンテナ収納部と、
前記アンテナ素子に上端が接続されると共に、下端が前記アンテナ収納部の下方から外部に引き出された内部アンテナ用給電線と、
前記内部アンテナ用給電線の下端に接続された内部アンテナ給電用コネクタと、
前記アンテナ素子の内径より短い外径を有し、かつ長手方向の長さが前記アンテナ収納部より長くなるように形成され、前記アンテナ素子の内部を貫通するようにして設けられると共に、下端が前記アンテナ収納部の下方から外部に引き出された外部アンテナ用給電線と、
前記外部アンテナ用給電線の下端に接続された外部アンテナ給電用コネクタと、
前記アンテナ素子と前記外部アンテナ用給電線の間に設けられた円筒状の絶縁体と、
前記外部アンテナ用給電線の上端に接続するようにして、前記アンテナ収納部上に設けられ、前記アンテナ収納部の外径より短い外径を有するコネクタ頭部と、前記コネクタ頭部上に一体成形され、前記コネクタ頭部の外径より短い外径を有するコネクタ軸部とからなる断面凸型形状の外部アンテナ取付用コネクタと、
前記外部アンテナ取付用コネクタの前記コネクタ頭部と、前記アンテナ収納部の上端部分を覆うようにして設けられると共に、上面中央に穿設された貫通孔を介して前記外部アンテナ取付用コネクタの前記コネクタ軸部が突出するようにして設けられた断面逆凹型形状のキャップと、
前記キャップの側面に、前記キャップの長手方向と直交する方向に貫通するようにして穿設された、棒状のラジアルを挿着するための複数のラジアル取付孔と
を備える。
【考案の効果】
【０００５】
本考案のアンテナ装置によれば、アイソレーションを確保しながら、複数の周波数帯を使用することができる。
【図面の簡単な説明】
【０００６】
【図１】本考案の実施の形態によるアンテナ装置の構成を示す側面図、同アンテナ装置の内部構造を示す縦断面図、同アンテナ装置の上端部分の構成を示す斜視図である。
【図２】同アンテナ装置に他のアンテナ装置を取り付けた場合の様子を表す側面図である。
【考案を実施するための形態】
【０００７】
以下、本考案の実施の形態について図面を参照して説明する。
【０００８】
図１に、本考案の実施の形態によるアンテナ装置１０の構成を示す。このうち、図１（ａ）は、アンテナ装置１０の側面図を示し、図１（ｂ）は、アンテナ装置１０の内部構造の縦断面図を示し、図１（ｃ）は、アンテナ装置１０の上端部分の斜視図を示す。図２は、アンテナ装置１０に他のアンテナ装置１００を取り付けた場合の側面図を示す。
【０００９】
アンテナ装置１０は、円筒状のアンテナ素子２０を有し、当該アンテナ素子２０をアンテナ収納部３０に収納及び固定している。
【００１０】
アンテナ収納部３０は、アンテナ素子２０の外径より長い内径を有し、かつその長手方向における長さがアンテナ素子２０より長くなるように、円筒状に形成され、その内部にアンテナ素子２０を収納し支持する。
【００１１】
アンテナ素子２０の下端には、当該アンテナ素子２０に電力を供給するための内部アンテナ用給電線４０Ａの上端が接続されている。一方、内部アンテナ用給電線４０Ａの下端は、アンテナ収納部３０の下端から外部に引き出され、当該内部アンテナ用給電線４０Ａの下端には、外部の通信装置と接続するための内部アンテナ給電用コネクタ５０Ａが接続されている。
【００１２】
また、アンテナ装置１０は、取付対象としての外部のアンテナ装置１００に電力を供給するための外部アンテナ用給電線４０Ｂをアンテナ収納部３０の内部に収納する。
【００１３】
外部アンテナ用給電線４０Ｂは、アンテナ素子２０の内径より短い外径を有し、かつその長手方向の長さがアンテナ収納部３０より長くなるように形成され、アンテナ素子２０の内部を貫通するようにして設けられている。
【００１４】
アンテナ素子２０と外部アンテナ用給電線４０Ｂの間には、図示しない円筒状の絶縁体が設けられ、これによりアンテナ素子２０と外部アンテナ用給電線４０Ｂが短絡することを防止している。
【００１５】
外部アンテナ用給電線４０Ｂの下端は、アンテナ収納部３０の下端から外部に引き出され、当該外部アンテナ用給電線４０Ｂの下端には、外部の通信装置と接続するための外部アンテナ給電用コネクタ５０Ｂが接続されている。
【００１６】
一方、外部アンテナ用給電線４０Ｂの上端は、アンテナ収納部３０の上端に設けられた外部アンテナ取付用コネクタ６０に接続されている。
【００１７】
外部アンテナ取付用コネクタ６０は、断面が凸型形状に形成されている。すなわち、外部アンテナ取付用コネクタ６０は、アンテナ収納部３０の外径より短い外径を有するコネクタ頭部６０Ｂと、当該コネクタ頭部６０Ｂ上に一体的に形成され、コネクタ頭部６０Ｂの外径より短い外径を有するコネクタ軸部６０Ａとを有する。
【００１８】
ところで、アンテナ装置１０の上端部分には、キャップ７０が設けられている。キャップ７０は、断面が逆凹型形状に形成され、外部アンテナ取付用コネクタ６０のコネクタ頭部６０Ｂと、アンテナ収納部３０の上端部分を覆うようにして取り付けられている。
【００１９】
キャップ７０の上面中央には、図示しない貫通孔が穿設され、当該貫通孔に外部アンテナ取付用コネクタ６０のコネクタ軸部６０Ａを挿通させることにより、キャップ７０から外部アンテナ取付用コネクタ６０のコネクタ軸部６０Ａが突出するようにして露出している。
【００２０】
キャップ７０の側面には、アースとしての機能を果たす棒状のラジアル１１０を取り付けるための複数のラジアル取付孔８０が、キャップ７０の長手方向と直交する方向に貫通するようにして穿設されている。
【００２１】
図２に示すように、アンテナ装置１０に他のアンテナ装置１００を取り付ける場合には、アンテナ装置１０の外部アンテナ取付用コネクタ６０のコネクタ軸部６０Ａに、他のアンテナ装置１００を嵌合させ、複数のラジアル１１０をキャップ７０のラジアル取付孔８０にそれぞれ挿着し、ラジアル１１０の先端を外部アンテナ取付用コネクタ６０のコネクタ頭部６０Ｂに接触させる。
【００２２】
このように本実施の形態によれば、アイソレーションを確保しながら、複数の周波数帯を使用することができる。
【００２３】
すなわち、本実施の形態の場合、アンテナ装置１０は、円筒状のアンテナ素子２０と、アンテナ素子２０の外径より長い内径を有し、かつ長手方向における長さがアンテナ素子２０より長くなるように円筒状に形成され、アンテナ素子２０を収納し支持するアンテナ収納部３０と、アンテナ素子２０に上端が接続されると共に、下端がアンテナ収納部３０の下方から外部に引き出された内部アンテナ用給電線４０Ａと、内部アンテナ用給電線４０Ａの下端に接続された内部アンテナ給電用コネクタ５０Ａと、アンテナ素子２０の内径より短い外径を有し、かつ長手方向の長さがアンテナ収納部３０より長くなるように形成され、アンテナ素子２０の内部を貫通するようにして設けられると共に、下端がアンテナ収納部３０の下方から外部に引き出された外部アンテナ用給電線４０Ｂと、外部アンテナ用給電線４０Ｂの下端に接続された外部アンテナ給電用コネクタ５０Ｂと、アンテナ素子２０と外部アンテナ用給電線４０Ｂの間に設けられた円筒状の絶縁体と、外部アンテナ用給電線４０Ｂの上端に接続するようにして、アンテナ収納部３０上に設けられ、アンテナ収納部３０の外径より短い外径を有するコネクタ頭部６０Ｂと、コネクタ頭部６０Ｂ上に一体成形され、コネクタ頭部６０Ｂの外径より短い外径を有するコネクタ軸部６０Ａとからなる断面凸型形状の外部アンテナ取付用コネクタ６０と、外部アンテナ取付用コネクタ６０のコネクタ頭部６０Ｂと、アンテナ収納部３０の上端部分を覆うようにして設けられると共に、上面中央に穿設された貫通孔を介して外部アンテナ取付用コネクタ６０のコネクタ軸部６０Ａが突出するようにして設けられた断面逆凹型形状のキャップ７０と、キャップ７０の側面に、キャップ７０の長手方向と直交する方向に貫通するようにして穿設された、棒状のラジアル１１０を挿着するための複数のラジアル取付孔８０とを備える。
【符号の説明】
【００２４】
１０  アンテナ装置
２０  アンテナ素子
３０  アンテナ収納部
４０Ａ  内部アンテナ用給電線
４０Ｂ  外部アンテナ用給電線
５０Ａ  内部アンテナ給電用コネクタ
５０Ｂ  外部アンテナ給電用コネクタ
６０  外部アンテナ取付用コネクタ
７０  キャップ
８０  ラジアル取付孔
【図１】
0003216999.tif 000003
【図２】
0003216999.tif 000004